(57)【特許請求の範囲】
【請求項１】
実装ケース入り電気光学装置であって、
画像表示領域に光源から投射光が入射される電気光学装置と、
該電気光学装置の一面に対向するように配置されるプレートと、前記電気光学装置を覆い前記プレートと当接する部分を有するカバーとからなり、前記電気光学装置における前記画像表示領域の周辺に位置する周辺領域の少なくとも一部を前記プレート及び前記カバーの少なくとも一方で保持して当該電気光学装置を収納する実装ケースとを備え、
前記カバーは、当該実装ケース入り電気光学装置に向けて送られてきた冷却風を、前記開口部に向けて流すための導風部と、前記カバーの側面に向けて流すための導風部を有していることを特徴とする実装ケース入り電気光学装置。
【請求項２】
前記開口部に向けて流すための導風部は、前記冷却風の流れ方向にその先端部が対向する尖鋭形状を有するスロープ部を含むことを特徴とする請求項１に記載の実装ケース入り電気光学装置。
【請求項３】
さらに、前記スロープ部を構成する面を囲む導風板を備えることを特徴とする請求項１又は２に記載の実装ケース入り電気光学装置。
【請求項４】
前記窓部の辺縁はテーパ形状を有していることを特徴とする請求項１乃至３のいずれか一項に記載の実装ケース入り電気光学装置。
【請求項５】
前記カバーは、前記カバー本体部から流れてきた冷却風を当該カバーから導出する冷却風排出部を更に含み、
前記冷却風排出部は、その表面積を増大させる第１表面積増大部を備えていることを特徴とする請求項１乃至４のいずれか一項に記載の実装ケース入り電気光学装置。
【請求項６】
前記カバーは、前記カバー本体部において、前記電気光学装置の側面に対向する側壁部を有し、
前記側壁部は、その表面積を増大させる第２表面積増大部を備えていることを特徴とする請求項１乃至５のいずれか一項に記載の実装ケース入り電気光学装置。
【請求項７】
前記第１表面積増大部及び前記第２表面積増大部の少なくとも一方は、前記カバーの表面に突出する様に形成されたフィン及び前記カバーの表面に窪みをつけるように形成されたディンプルの少なくとも一方を含むことを特徴とする請求項６に記載の実装ケース入り電気光学装置。
【請求項８】
前記カバーの表面に突出する様に形成されたフィンを有し、前記フィンは、前記冷却風の流れに沿うようにして形成されていることを特徴とする請求項１乃至４のいずれか一項に記載の実装ケース入り電気光学装置。
【請求項９】
前記フィンは、第１列のフィンと、これに平行に延在する第２列のフィンとを含み、
前記第１列のフィンと前記第２列のフィンとの間の間隔は１ｍｍ以上とされていることを特徴とする請求項８に記載の実装ケース入り電気光学装置。
【請求項１０】
前記カバーは、高熱伝導率材料から構成されていることを特徴とする請求項１乃至９のいずれか一項に記載の実装ケース入り電気光学装置。
【請求項１１】
前記投射光は前記カバー側から入射し、前記電気光学装置を透過して、前記プレート側から出射することを特徴とする請求項１乃至１０のいずれか一項に記載の実装ケース入り電気光学装置。
【請求項１２】
実装ケース入り電気光学装置であって、
画像表示領域に光源から投射光が入射される電気光学装置と、
該電気光学装置の一面に対向するように配置されるプレートと、前記電気光学装置を覆い前記プレートと当接する部分を有するカバーとからなり、前記電気光学装置における前記画像表示領域の周辺に位置する周辺領域の少なくとも一部を前記プレート及び前記カバーの少なくとも一方で保持して当該電気光学装置を収納する実装ケースとを備え、
前記カバーは、冷却風導入部を含み、
前記冷却風導入部は、当該実装ケース入り電気光学装置に向けて送られてきた冷却風を、前記画像表示領域へ向けて流すための冷却風案内部と、前記カバーの側面に向けて流すための冷却風案内部を有していることを特徴とする実装ケース入り電気光学装置。
【請求項１３】
実装ケースであって、
画像表示領域に光源から投射光が入射される電気光学装置の一面に対向するように配置されるプレートと、前記電気光学装置を覆い前記プレートと当接する部分を有するカバーとからなり、とを有し、
前記電気光学装置における前記画像表示領域の周辺に位置する周辺領域の少なくとも一部を前記プレート及び前記カバーの少なくとも一方で保持して当該電気光学装置を収納し、
前記カバーは、当該実装ケース入り電気光学装置に向けて送られてきた冷却風を、前記開口部に向けて流すための導風部と、前記カバーの側面に向けて流すための導風部を有していることを特徴とする実装ケース。
【請求項１４】
請求項１乃至１２のいずれか一項に記載の実装ケース入り電気光学装置と、
前記光源と、
前記投射光を前記電気光学装置に導く光学系と、
前記電気光学装置から出射される投射光を投射する投射光学系と、
前記実装ケース入り電気光学装置に対して冷却風を送出する冷却風送出部と、を備えた
ことを特徴とする投射型表示装置。
【発明の詳細な説明】
【技術分野】
【０００１】
本発明は、液晶プロジェクタ等の投射型表示装置にライトバルブとして用いられる液晶パネル等の電気光学装置を実装するための実装ケース、また該実装ケースに当該電気光学装置が実装或いは収容されてなる実装ケース入り電気光学装置、及びこのような実装ケース入り電気光学装置を備えてなる投射型表示装置の技術分野に属する。
【背景技術】
【０００２】
一般に、液晶パネルを液晶プロジェクタにおけるライトバルブとして用いる場合、該液晶パネルは、液晶プロジェクタを構成する筐体等にいわば裸の状態で設置されるのではなく、該液晶パネルを適当な実装ケースに実装ないし収容した上で、この実装ケース入り液晶パネルを、前記筐体等に設置することが行われる。
【０００３】
これは、当該実装ケースに適当なねじ孔等を設けておくことで、液晶パネルの前記筐体等に対する固定、取り付けを容易に実施することなどが可能となるからである。
【０００４】
このような液晶プロジェクタでは、光源から発せられた光源光は、当該実装ケース入り液晶パネルに対して集光された状態で投射されることになる。そして、液晶パネルを透過した光は、スクリーン上に拡大投射されて画像の表示が行われることになる。このように液晶プロジェクタにおいては、拡大投射が一般に予定されているため、前記光源光としては、例えばメタルハライドランプ等の光源から発せられる比較的強力な光が使用されることになる。
【０００５】
すると、まず、実装ケース入り液晶パネル、とりわけ液晶パネルの温度上昇が問題となる。すなわち、このような温度上昇が生じると、液晶パネル内において一対の透明基板間に挟持されている液晶の温度も上昇して、該液晶の特性劣化を招く。また特に光源光にむらがあった場合には、部分的に液晶パネルが加熱されて所謂ホットスポットが発生して、液晶の透過率のムラができて投射画像の画質が劣化する。
【０００６】
このような液晶パネルの昇温を防止する技術としては、例えば特許文献１等に開示されているものが知られている。この特許文献１では、液晶パネル及び該液晶パネルを収容保持するとともに放熱板が備えられたパッケージ（本明細書にいう「実装ケース」に該当する。）からなる液晶表示モジュールにおいて、前記液晶パネル及び前記放熱板間に放熱シートを設けることにより、液晶パネルの昇温を防止する技術が開示されている。
【０００７】
また、このような問題点に対処するため、その他にも、液晶パネルの光入射側に位置する基板に遮光膜を設けること、液晶パネルを実装あるいは収納してなる実装ケースを光反射性材料から構成すること等といった技術も知られている。
【０００８】
【特許文献１】再表ＷＯ９８／３６３１３
【発明の開示】
【発明が解決しようとする課題】
【０００９】
しかしながら、従来における液晶パネルの昇温防止対策には次のような問題点がある。すなわち、光源光からの強力な光が投射される限り、液晶パネルの温度上昇の問題は常に顕在化するおそれがあるから、更なる高画質化等を図るためには、上記各種の対策に代えて又は加えて、より効率的な温度上昇の防止対策が要求されているという点である。
【００１０】
例えば、放熱シートを利用する対策では、たしかに液晶パネルに蓄積されていく熱を外部へと有効に放射することが可能になるとは考えられるものの、放熱シートを、基板全面を覆うようにして設けられると、反射型の液晶パネルには利用できても、透過型の液晶パネルに対しては無力である。
【００１１】
また、遮光膜及び実装ケースによる光反射対策では、それらの面積を増大させれば反射光量が増大するから、たしかに液晶パネルの温度上昇の防止を相応に達成することができると考えられるものの、反射光量をむやみ増大させると、実装ケース入り液晶パネルを収納するハウジング内の迷光を増加させることとなって、画像の品質に悪影響を及ぼすことが考えられる。また、遮光膜については、その面積を広げれば広げるほど、液晶パネルに本来入射・透過されるべき光源光の量が減ることになるから、画像が暗くなってしまうことが考えられる。これでは、より明るい画像を表示しようとして、強力な光源光を用いているという趣旨に反することになる。このように、上記の対策は、抜本的に問題を解決するものとはいえない点にも問題がある。
【００１２】
本発明は、上記問題点に鑑みてなされたものであり、比較的強力な投射光が入射される電気光学装置における温度上昇を効率的に抑制可能とする、実装ケース入り電気光学装置及びこれを備えてなる投射型表示装置を提供することを課題とする。また、本発明は、このような実装ケース入り電気光学装置に使用されて好適な実装ケースを提供することをも課題とする。
【課題を解決するための手段】
【００１３】
本発明の実装ケース入り電気光学装置は、上記課題を解決するため、画像表示領域に光源から投射光が入射される電気光学装置と、該電気光学装置の一面に対向するように配置されるプレートと、前記電気光学装置を覆い前記プレートと当接する部分を有するカバーとからなり、前記電気光学装置における前記画像表示領域の周辺に位置する周辺領域の少なくとも一部を前記プレート及び前記カバーの少なくとも一方で保持して当該電気光学装置を収納する実装ケースとを備える。そして、前記カバーは、前記電気光学装置を収容するカバー本体部及び該カバー本体部から延設又は該カバー本体部に追設される冷却風導入部を含み、前記冷却風導入部は、当該実装ケース入り電気光学装置に向けて送られてきた冷却風を前記カバー本体部へ向けて流すための冷却風散逸防止部を有している。
【００１４】
本発明の実装ケース入り電気光学装置によれば、画像表示領域に光源から投射光が入射される電気光学装置が、カバー及びプレートからなる実装ケース内に実装される。このような電気光学装置としては、例えば投射型表示装置におけるライトバルブとして実装される液晶装置或いは液晶パネルが挙げられる。なお、このような実装ケースには、電気光学装置の周辺領域を少なくとも部分的に覆うことにより、当該周辺領域における光抜けを防止したり或いは周辺領域から画像表示領域内に迷光が進入するのを防止する遮光機能を持たせてもよい。
【００１５】
そして、本発明では特に、前記カバーは、カバー本体部及び冷却風導入部を含み、前記冷却風導入部は、当該実装ケース入り電気光学装置に向けて送られてきた冷却風を前記カバー本体部へ向けて流すための冷却風散逸防止部を有している。これにより、カバーの放熱能力を高めることができ、また、電気光学装置の効果的な冷却を実現することができる。これは以下の事情による。
【００１６】
まず、電気光学装置には前記投射光が入射されることにより、該電気光学装置の温度は上昇する。すると、この電気光学装置の熱は、前記周辺領域を保持するプレート及びカバーの少なくとも一方に直接的に伝達され、或いはプレートに伝達された熱は前記当接する部分を介してカバーに間接的に伝達されることになる。この場合、これらプレート及びカバーは、電気光学装置に対するヒートシンクとして機能しているということができる。
【００１７】
ここで、本発明においては、当該実装ケース入り電気光学装置に対して、冷却風が送られてくるようになっている。この冷却風は、例えば、当該実装ケース入り電気光学装置を投射型表示装置内に設置する場合においては、該投射型表示装置内に併せて設置される冷却ファンから送り出されるようにしておくことが可能である。そして、本発明に係るカバーの冷却風導入部は、前述のような冷却風散逸防止部を有している。したがって、当該実装ケース入り電気光学装置に向けて送られてきた冷却風は、電気光学装置を収容するカバー本体部へと効率的に流れることになるから、まず、当該電気光学装置それ自体の冷却を効率的に実施することができる。また、前述の事情は同時に、カバーの冷却を効率的に行うことができることを意味するから、該カバーが、前述のヒートシンクとしての機能をよりよく発揮するということに帰結する。
【００１８】
以上の結果、本発明によれば、電気光学装置の効果的な冷却が実現されることになるのである。したがって、本発明では、電気光学装置の温度上昇によって発生する不具合（例えば、該電気光学装置を構成し得る液晶層の特性劣化、或いは該液晶層中におけるホットスポットの発生等）を被らなくて済むから、より高品質な画像を表示することが可能となる。
【００１９】
なお、冷却風導入部が、カバー本体部から「延設」されるとは、典型的には、両者が一体的に構成されており、冷却風導入部がカバー本体部の延長として形成されているなどという場合が該当する。また、冷却風導入部が、カバー本体部に「追設」されるとは、典型的には、両者が別体として構成されており、冷却風導入部がカバー本体部に別途取り付けられるなどという場合が該当する。
【００２０】
本発明の実装ケース入り電気光学装置の一態様では、前記冷却風散逸防止部は、導風板を含む。
【００２１】
この態様によれば、冷却風散逸防止部が導風板を含む。ここに導風板とは、当該実装ケース入り電気光学装置に向けて送り込まれた冷却風の流れを一定程度阻害するとともに、その阻害によって、冷却風をカバー本体部へと向けて流さしめる機能を有する板のことをいう。
【００２２】
このような導風板を備えることにより、本態様においては、カバー本体部に向けて冷却風をより効率的に送り込むことが可能となり、電気光学装置それ自体の冷却、或いはカバーの冷却をより効率的に実施することができる。
【００２３】
本発明の実装ケース入り電気光学装置の他の態様では、前記冷却風導入部は、前記冷却風の流れ方向にその先端部が対向する尖鋭形状を有するスロープ部を含んでおり、前記冷却風散逸防止部は、前記スロープ部を含む。
【００２４】
この態様によれば、冷却風散逸防止部がスロープ部を含む。ここにスロープ部とは、上述のように冷却風の流れ方向にその先端部が対向する尖鋭形状を有する部分である。このスロープ部の存在によると、冷却風は、まず先端部に到達した後、当該スロープ部を構成する面を駆け上がる又は駆け下るようにして当該スロープ部を流れ抜けることが典型的には想定されることになる。
【００２５】
ここで仮に、前記の先端部ないしスロープ部が存在しない場合、例えば所定の厚みをもったブロック状の部材が前記スロープ部等に代わって存在する場合を仮定すると、冷却風の流れは、当該ブロック状の部材で一定程度阻害された上、阻害された冷却風の流れは、そのブロック状の部材の面に沿って進むことが考えられるから、該冷却風がカバー本体部に向かうということが困難となる。
【００２６】
このように、本態様にいう「スロープ部」を備えることによれば、冷却風散逸防止部の機能をより高めることができ、もって電気光学装置それ自体の冷却、或いはカバーの冷却をより効率的に実現することができる。
【００２７】
なお、本態様にいう「尖鋭形状」とは、テーパ型、楔型、流線型等々の形状を含む概念である。
【００２８】
本発明の実装ケース入り電気光学装置の他の態様では、前記導風板は、前記スロープ部を構成する面を囲むように形成されている。
【００２９】
この態様によれば、前記の導風板が、前記のスロープ部を構成する面を囲むように形成されている。ここで、「スロープ部を構成する面」として、典型的に想定されているのは、前述のように冷却風が駆け上る又は駆け下るという場合における、その駆け上り又は駆け下りの対象とされている面である。そして、本態様では、このような面を囲むように、導風板が形成されているのである。
【００３０】
つまり、本態様によれば、上述のように先端部に到達した冷却風が、前記面を駆け上り又は駆け下るという事象が、より頻度高く生じるように仕向けられているということができる。したがって、カバー本体部への冷却風の送り出しは、より効率的に行われ得ることになる。
【００３１】
なお、本態様にいう「囲むように」とは、導風板の具体的形状の如何、またスロープ部の具体的形状の如何の組み合わせ等によって影響を受け、種々の具体的態様を含む。例えば、スロープ部がテーパ型形状の一種と考えられる三角柱形状を有している場合において、当該三角柱形状の両底面に貼り付けられた四辺形状の板が「導風板」に該当するという態様を考えることができる。この場合、前記四辺形状の面積が、前記底面の面積よりも大きければ、当該四辺形状の余剰の部分が、前記三角柱の側面と直角に交わるように立設されたかの如き状態が現れることがわかる。これによると、「スロープ部を構成する面」である前記三角柱の側面は、前記四辺形状の余剰の部分によって、両側から囲われているような形になる。また、この態様に加えて、両底面に貼り付けられた四辺形状の板の間を渡すように、「導風板」に該当する別の板を設ければ、当該板と前記四辺形状の板は、前記三角柱の側面をまさに囲んでいるような状態が現れる。本態様の「囲むように」は、これらのような形態を含む。
【００３２】
本発明の実装ケース入り電気光学装置の他の態様では、前記カバー本体部には、前記画像表示領域を外部に露出する窓部が形成されており、当該窓部から露出された前記電気光学装置の前記画像表示領域における面は、前記スロープ部を構成する面と連続している。
【００３３】
この態様によれば、カバー本体部に前記窓部が形成されていることにより、該窓部を介して、電気光学装置の画像表示領域に対して前記投射光を入射することが可能である。
【００３４】
そして、本態様では特に、窓部から露出された電気光学装置の画像表示領域における面は、前記スロープ部を構成する面と連続している。ここで、「スロープ部を構成する面」とは、前述したとおりの面、即ち冷却風が駆け上り又は駆け下る対象としての面が典型的には想定されている。本態様では、このような面と電気光学装置の面とが「連続している」のである。したがって、スロープ部を構成する面を駆け上り又は駆け下った冷却風は、両面間の端境でその進行を妨げられるということが殆どないまま、電気光学装置の面へと流入することになる。これにより、電気光学装置それ自体の冷却を、前記にも増してより効率的に実施することができる。
【００３５】
なお、本態様にいう「連続している」とは、例えば、正方形状の面Ａ及びＢがある場合において、これらの面Ａ及びＢが相互に直角でない角度で交わるとともに、面Ａの一辺が面Ｂの一辺に接合しているという場合等を含む。また、前記の面Ａ及びＢの間に、別の面Ｃ、Ｄ、…が存在し、且つ、これら各々の面間においても前記の条件が満たされている場合もまた、面Ａ及び面Ｂが「連続している」に含まれる。
【００３６】
ただし、本態様にいう「連続している」という構成は、前述のように、冷却風の進行を妨げないという作用効果を得ることにその本質があるから、上述の定義を機械的に適用すれば、「連続」の範囲内にあるかどうかが完全に判別されるわけではない。例えば、前述の記号を用いて、面Ａ及び面Ｂの間に面ζが存在し、面ζ及び面Ｂは直角に交わるという場合においては、面Ａと面Ｂとは「連続」でないということになり得る。しかしながら、該面ζが長方形状であって、面Ａ及び面Ｂに比べて極めて小さい面積しか有しないなどという場合においては、これら面Ａ、面ζ及び面Ｂを吹き抜ける冷却風の進行が妨げられるということは殆ど考えられない。したがって、このような場合における面Ａ及び面Ｂは、なお本態様にいう「連続している」の範囲内にあるということができる。
【００３７】
本発明の実装ケース入り電気光学装置の他の態様では、前記窓部の辺縁はテーパ形状を有している。
【００３８】
この態様によれば、スロープ部を構成する面を前記の面Ａと、電気光学装置の画像表示領域における面を前記の面Ｂと、そして、窓部の辺縁を形作る面を前記の面Ｃとそれぞれ考えることにより、前述の「連続している」を好適に実現することができる。
【００３９】
ちなみに、電気光学装置に対する無用な光の入射を防止する等の目的のため、窓部が形成されるカバー本体部の面と前述の電気光学装置の面とは、通常、同一平面上に載らないように形成することが好ましい。この場合、電気光学装置の面が、前記窓部が形成されるカバー本体部の面から、やや奥まった場所に位置するように構成することが好ましい。このような観点からしても、本態様の構成は好適な構成であるということができる。
【００４０】
なお、本態様にいう「テーパ形状」の角度は、１５°以下とすることが好ましい。例えば、冷却風が、スロープ部を構成する面を駆け上り、本態様の「テーパ形状」の面を駆け下って、電気光学装置の面に至るという具体的場合を想定すると、前記テーパ形状が１５°以上の角度をもつと、スロープ部を構成する面をいったん駆け上った冷却風が、その後に比較的急激な坂を駆け下って電気光学装置の面に至るということが困難となるからである。ただし、テーパ形状が１５°以上９０°未満の角度をもったとしても、窓部の辺縁の面と電気光学装置の面とは、前記の「連続している」の範囲内にはある。
【００４１】
本発明の実装ケース入り電気光学装置の他の態様では、前記カバーは、前記カバー本体部から流れてきた冷却風を当該カバーから導出する冷却風排出部を更に含み、前記冷却風排出部は、その表面積を増大させる第１表面積増大部を備えている。
【００４２】
この態様によれば、カバーには、前記冷却風導入部に対応するように冷却風排出部が含まれ、且つ、該冷却風排出部には第１表面積増大部が備えられている。これにより、該カバーの放熱能力、或いは冷却能力は高められている。したがって、カバーは殆ど常に、好適に冷却された状態に維持されるということができるから、電気光学装置の冷却も極めて効率的に実施されることになる。
【００４３】
本発明の実装ケース入り電気光学装置の他の態様では、前記カバーは、前記カバー本体部において、前記電気光学装置の側面に対向する側壁部を有し、前記側壁部は、その表面積を増大させる第２表面積増大部を備えている。
【００４４】
この態様によれば、カバーには側壁部が含まれ、且つ、該側壁部には第２表面積増大部が備えられていることにより、該カバーの放熱能力、或いは冷却能力は高められている。したがって、カバーは殆ど常に、好適に冷却された状態に維持されるということができるから、電気光学装置の冷却も極めて効率的に実施されることになる。また、該側壁部は、電気光学装置の側面に対向する部分であることから、カバー全体において占める割合は、そもそも当初より大きいということができる。本態様では、このようなカバー全体の中で比較的広範な面積を有している側壁部において、前記第２表面積増大部が備えられていることにより、カバー全体の面積増大効果をより効果的に享受できることになる。
【００４５】
本発明の実装ケース入り電気光学装置の他の態様では、前記冷却風導入部は、前記冷却風を前記側壁部へ送るための導風部を含み、前記冷却風散逸防止部は、前記導風部を含む。
【００４６】
この態様によれば、冷却風導入部及び冷却風散逸防止部に含まれる導風部が、冷却風を側壁部へと送る。これにより、該側壁部に備えられている前記第２表面積増大部の作用効果をより効果的に発揮させることができる。
【００４７】
本発明の実装ケース入り電気光学装置の他の態様では、前記第１表面積増大部及び前記第２表面積増大部の少なくとも一方は、前記カバーの表面に突出する様に形成されたフィン及び前記カバーの表面に窪みをつけるように形成されたディンプルの少なくとも一方を含む。
【００４８】
この態様によれば、比較的容易にカバーの表面積を増大させることができる。
【００４９】
なお、本態様にいう「フィン」は、カバー本体を形成するのに併せて又はその後に、例えば切削加工、鍛造加工、プレス加工、射出成形又は鋳造等により形成することが可能である。
【００５０】
また、本態様にいう「ディンプル」と前記の「フィン」との相違点は、「カバーの表面」を基準面として突出しているか、或いは凹んでいるかということにある。
【００５１】
或いは、場合により、本態様にいう「ディンプル」は、「当該実装ケース入り電気光学装置に対して送られてくる冷却風の流れを全く阻害しない」という属性を有していてもよい。この観点からすると、前記のフィンは、前記冷却風の流れを全く阻害しないということはない、という属性を有するものと解した上で、この点について、ディンプル及びフィン間の相違点を設定するという考え方を採ることも可能である。
【００５２】
また、本態様にいう「窪みをつけるように」とは、当該ディンプルをカバーの表面に実際に形成する場合において、実際に「窪みをつける」ような加工を実施しなければならないということを意味しない。当該ディンプルの形成方法としては、前記のフィンと同様、カバー本体を形成するのに併せて又はその後に、例えば切削加工、鍛造加工、プレス加工、射出成形又は鋳造等により形成することが可能である。
【００５３】
本発明の実装ケース入り電気光学装置の他の態様では、前記フィンは、前記冷却風の流れに沿うようにして形成されている。
【００５４】
この態様によれば、フィンは、実装ケース入り電気光学装置に対して送られてくる冷却風の流れに沿うようにして形成されているから、当該フィンに起因するカバーの冷却効果を効果的に引き出すことができる。
【００５５】
すなわち仮に、フィンが冷却風の流れを阻害するように形成されているとすると、当該冷却風は、それ以降の部分に流れることが困難となるため、カバーの冷却を効果的に行うことができなくなる。しかし、フィンが冷却風の流れに沿うようにして形成されていれば、当該フィンが冷却風の流れをストップするということがなく、カバー全体に冷却風を行き渡らせることが可能である。これにより、本態様によればカバーの冷却を効果的に行うことができるのである。
【００５６】
なお、本態様の「フィンは、冷却風に沿うようにして形成されている」とは、具体的には次のような各場合を含む。例えば第一に、冷却風がカバー周囲を直線的に流れているという場合には、フィンが、当該方向に一致するように形成されているという場合を含む。第二に、冷却風がカバー周囲を渦巻くように流れているという場合においては、当該フィンのカバー上の設置場所に応じて、当該フィンが、その方向を変じて形成されているなどという場合を含む。その他、実装ケース入り電気光学装置を中心として、冷却風がやや不規則な流れをみせる場合においても、当該フィンのカバー上の設置場所に応じて、当該フィンが、前記不規則な流れの方向の全部又は一部に一致するように、その方向を変じて形成されているなどという場合も含む。
【００５７】
本発明の実装ケース入り電気光学装置の他の態様では、前記フィンは、第１列のフィンと、これに平行に延在する第２列のフィンとを含み、前記第１列のフィンと前記第２列のフィンとの間の間隔は１ｍｍ以上とされている。
【００５８】
この態様によれば、前記フィンは、第１列のフィンと第２列のフィンからなる。ここで、これら「第１列のフィン」及び「第２列のフィン」としては、具体的には例えば、比較的長い直線状に延在するフィン等が、それに該当すると考えることができる。
【００５９】
そして、本態様においては、このような二列のフィンの間隔が１ｍｍ以上とされている。これにより、当該実装ケース入り電気光学装置に向けて送り込まれた冷却風を、前記二列のフィン間にも無理なく行き届かせることが可能となる。
【００６０】
特に、投射型表示装置内に本発明に係る実装ケース入り電気光学装置を装着する場合を想定すると、該投射型表示装置に別途設置される冷却ファンと当該実装ケース入り電気光学装置とは、通常、他の構成要素を配置等しなけれならない関係から、相当程度距離を離して設置しなければならなかったり、両者間の位置関係を完全に対向させるように配置することが困難な場合が想定される。このような場合、実装ケース入り電気光学装置には、静圧が低く、風量が小さい冷却風しか送られてこないことが考えられることになる。
【００６１】
ここで本態様においては、前述のように二列のフィン間の距離が１ｍｍ以上と比較的大きく設定されていることから、これら二列のフィン間にも、前述のような静圧が低く風量が小さい冷却風を吹きぬかせることが可能となる。そして、これによれば、冷却風に曝されることになるフィンの表面積が増大することになるから、当該フィンの放熱性は更に向上することになる。
【００６２】
したがって、本態様によれば、カバー全体の放熱能力を更に向上させることができる。
【００６３】
本発明の実装ケース入り電気光学装置の他の態様では、前記カバーは、高熱伝導率材料から構成されている。
【００６４】
この態様によれば、カバーが高熱伝導率材料からなるから、前記の冷却風散逸防止部、第１及び第２表面積増大部等に起因する作用効果とも相俟って、カバーの放熱能力をより高めることができる。
【００６５】
なお、本態様にいう「高熱導電率材料」とは、具体的には例えば、アルミニウム、マグネシウム、銅又はこれらそれぞれの合金等を好適には挙げることができる。
【００６６】
本発明の他の実装ケース入り電気光学装置の他の態様では、上記課題を解決するために、画像表示領域に光源から投射光が入射される電気光学装置と、該電気光学装置の一面に対向するように配置されるプレートと、前記電気光学装置を覆い前記プレートと当接する部分を有するカバーとからなり、前記電気光学装置における前記画像表示領域の周辺に位置する周辺領域の少なくとも一部を前記プレート及び前記カバーの少なくとも一方で保持して当該電気光学装置を収納する実装ケースとを備える。そして、前記カバーは、カバー本体部及び冷却風導入部を含み、該冷却風導入部は尖鋭形状を有するスロープ部を有している。
【００６７】
この態様によれば、前述したスロープ部を含む本発明の実装ケース入り電気光学装置と略同様な作用効果が得られることになる。
【００６８】
本発明の他の実装ケース入り電気光学装置は、画像表示領域に光源から投射光が入射される電気光学装置と、該電気光学装置の一面に対向するように配置されるプレートと、前記電気光学装置を覆い前記プレートと当接する部分を有するカバーとからなり、前記電気光学装置における前記画像表示領域の周辺に位置する周辺領域の少なくとも一部を前記プレート及び前記カバーの少なくとも一方で保持して当該電気光学装置を収納する実装ケースとを備える。そして、前記カバーは、冷却風導入部を含み、前記冷却風導入部は、当該実装ケース入り電気光学装置に向けて送られてきた冷却風を前記画像表示領域へ向けて流すための冷却風案内部を有していることを特徴とする。
【００６９】
本発明の実装ケースは、上記課題を解決するために、画像表示領域に光源から投射光が入射される電気光学装置の一面に対向するように配置されるプレートと、前記電気光学装置を覆い前記プレートと当接する部分を有するカバーとからなり、前記電気光学装置における前記画像表示領域の周辺に位置する周辺領域の少なくとも一部を前記プレート及び前記カバーの少なくとも一方で保持して当該電気光学装置を収納する。そして、前記カバーは、カバー本体部及び冷却風導入部を含み、前記冷却風導入部は、当該実装ケース入り電気光学装置に向けて送られてきた冷却風を前記カバー本体部へ向けて流すための冷却風散逸防止部を有している。
【００７０】
本発明の実装ケースによれば、前述の本発明の実装ケース入り電気光学装置に使用されて好適な実装ケースを提供することができる。
【００７１】
本発明の投射型表示装置は、上記課題を解決するために、前述の本発明の実装ケース入り電気光学装置（但し、その各種態様を含む）と、前記光源と、前記投射光を前記電気光学装置に導く光学系と、前記電気光学装置から出射される投射光を投射する投射光学系と、前記実装ケース入り電気光学装置に対して冷却風を送出する冷却風送出部とを備えている。
【００７２】
本発明の投射型表示装置によれば、前述の本発明の実装ケース入り電気光学装置を具備してなるから、前記の冷却風散逸防止部が備えられていることにより、また、当該投射型表示装置には前記冷却風送出部が設けられていることにより、電気光学装置の効果的な冷却を実現することができるから、より高品質な画像を表示することが可能である。
【００７３】
本発明のこのような作用及び他の利得は次に説明する実施の形態から明らかにされる。
【発明を実施するための最良の形態】
【００７４】
以下、本発明の実施の形態を図面に基づいて説明する。
【００７５】
（投射型液晶装置の実施形態）
まず、図１を参照して、本発明による投射型液晶装置の実施形態について、その光学ユニットに組み込まれている光学系を中心に説明する。本実施形態の投射型表示装置は、実装ケース入りの電気光学装置の一例たる液晶ライトバルブが３枚用いられてなる複板式カラープロジェクタとして構築されている。
【００７６】
図１において、本実施形態における複板式カラープロジェクタの一例たる、液晶プロジェクタ１１００は、駆動回路がＴＦＴアレイ基板上に搭載された電気光学装置を含む液晶ライトバルブを３個用意し、夫々ＲＧＢ用のライトバルブ１００Ｒ、１００Ｇ及び１００Ｂとして用いたプロジェクタとして構成されている。
【００７７】
液晶プロジェクタ１１００では、メタルハライドランプ等の白色光源のランプユニット１１０２から投射光が発せられると、３枚のミラー１１０６及び２枚のダイクロイックミラー１１０８によって、ＲＧＢの３原色に対応する光成分Ｒ、Ｇ及びＢに分けられ、各色に対応するライトバルブ１００Ｒ、１００Ｇ及び１００Ｂに夫々導かれる。この際特にＢ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂにより夫々変調された３原色に対応する光成分は、ダイクロイックプリズム１１１２により再度合成された後、投射レンズ１１１４を介してスクリーン１１２０にカラー画像として投射される。
【００７８】
本実施形態のライトバルブ１００Ｒ、１００Ｇ及び１００Ｂとしては、例えば、後述の如きＴＦＴをスイッチング素子として用いたアクティブマトリクス駆動方式の液晶装置が使用される。また、当該ライトバルブ１００Ｒ、１００Ｇ及び１００Ｂは、後に詳述するように実装ケース入り電気光学装置として構成されている。
【００７９】
また、この液晶プロジェクタ１１００には、図１に示すように、ライトバルブ１００Ｒ、１００Ｇ及び１００Ｂに冷却風を送るためのシロッコファン１３００（本発明にいう「冷却風送出部」の一例に該当する。）が設けられている。このシロッコファン１３００は、その側面に複数のブレード１３０１を備えた略円筒形状の部材を含んでおり、該円筒形状の部材がその軸を中心として回転することで前記ブレード１３０１が風を生じさせるようになっている。なお、このような原理から、シロッコファン１３００で作り出される風は、図１に示されるように、らせん状に渦巻いたものとなる。
【００８０】
このような風は、図１において図示されない風路を通じて各ライトバルブ１００Ｒ、１００Ｇ及び１００Ｂに送給され、各ライトバルブ１００Ｒ、１００Ｇ及び１００Ｂの近傍に設けられた吹き出し口１００ＲＷ、１００ＧＷ及び１００ＢＷから、これらライトバルブ１００Ｒ、１００Ｇ及び１００Ｂに対して送り出されるようになっている。
【００８１】
ちなみに、前述したようなシロッコファン１３００を用いれば、静圧が高くライトバルブ１００Ｒ、１００Ｇ及び１００Ｂ周囲の狭い空間にも風を送りやすいという利点が得られる。
【００８２】
以上説明した構成においては、強力な光源たるランプユニット１１０２からの投射光により各ライトバルブ１００Ｒ、１００Ｇ及び１００Ｂで温度が上昇する。この際、過度に温度が上昇してしまうと、各ライトバルブ１００Ｒ、１００Ｇ、１００Ｂを構成する液晶が劣化したり、光源光のむらによる部分的な液晶パネルの加熱によるホットスポットの出現により透過率にムラが生じたりする。そこで、本実施形態では特に、各ライトバルブ１００Ｒ、１００Ｇ、１００Ｂは、後述のように、電気光学装置を冷却する能力を有する実装ケースを備えている。このため、後述の如く各ライトバルブ１００Ｒ、１００Ｇ、１００Ｂの温度上昇は効率的に抑制されている。
【００８３】
なお、本実施形態では好ましくは、液晶プロジェクタ１１００のハウジング内には、各ライトバルブ１００Ｒ、１００Ｇ、１００Ｂの周辺空間に、冷却媒体を流す循環装置等からなる冷却手段を備える。これにより、後述の如き放熱作用を持つ実装ケース入りの電気光学装置からの放熱を一層効率的に行うことができる。
【００８４】
（電気光学装置の実施形態）
次に本発明の電気光学装置に係る実施形態の全体構成について、図２及び図３を参照して説明する。ここでは、電気光学装置の一例である駆動回路内蔵型のＴＦＴアクティブマトリクス駆動方式の液晶装置を例にとる。本実施形態に係る電気光学装置は、上述した液晶プロジェクタ１１００における液晶ライトバルブ１００Ｒ、１００Ｇ、１００Ｂとして使用されるものである。ここに、図２は、ＴＦＴアレイ基板をその上に形成された各構成要素と共に対向基板の側から見た電気光学装置の平面図であり、図３は、図２のＨ−Ｈ’断面図である。
【００８５】
図２及び図３において、本実施形態に係る電気光学装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００８６】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。即ち、本実施形態の電気光学装置は、プロジェクタのライトバルブ用として小型で拡大表示を行うのに適している。
【００８７】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００８８】
画像表示領域の周辺に広がる領域のうち、シール材５２が配置されたシール領域の外側に位置する周辺領域には、データ線駆動回路１０１及び外部回路接続端子１０２がＴＦＴアレイ基板１０の一辺に沿って設けられており、走査線駆動回路１０４が、この一辺に隣接する２辺に沿って設けられている。更にＴＦＴアレイ基板１０の残る一辺には、画像表示領域１０ａの両側に設けられた走査線駆動回路１０４間をつなぐための複数の配線１０５が設けられている。また図２に示すように、対向基板２０の４つのコーナー部には、両基板間の上下導通端子として機能する上下導通材１０６が配置されている。他方、ＴＦＴアレイ基板１０にはこれらのコーナーに対向する領域において上下導通端子が設けられている。これらにより、ＴＦＴアレイ基板１０と対向基板２０との間で電気的な導通をとることができる。
【００８９】
図３において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。また、液晶層５０は、例えば一種又は数種類のネマティック液晶を混合した液晶からなり、これら一対の配向膜間で、所定の配向状態をとる。
【００９０】
尚、図２及び図３に示したＴＦＴアレイ基板１０上には、これらのデータ線駆動回路１０１、走査線駆動回路１０４等に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００９１】
このように構成された電気光学装置の場合、その動作時には、図３の上側から強力な投射光が照射される。すると、対向基板２０、液晶層５０、ＴＦＴアレイ基板１０等における光吸収による発熱によって、当該電気光学装置の温度が上昇する。このような温度上昇は、液晶層５０等の劣化を早めると共に、表示画像の品位を劣化させる。
【００９２】
そこで、本実施形態では特に、以下に説明する実装ケース入り電気光学装置によって、このような温度上昇を効率的に抑制している。
【００９３】
（実装ケース入り電気光学装置―第１実施形態―）
次に、図４から図１４を参照して、本発明の第１実施形態に係る実装ケース入り電気光学装置について説明する。
【００９４】
ここではまず、図４から図１４を参照して、第１実施形態に係る実装ケースの基本構成について説明する。ここに、図４は第１実施形態に係る実装ケースを、前述した電気光学装置とともに示す分解斜視図であり、図５は当該実装ケース入りの電気光学装置の正面図、図６は図５のＸ１−Ｘ１´断面図、図７は図５のＹ１−Ｙ１´断面図であり、図８は図５のＺ１方向から臨んだ後面図である。なお、図４から図８は、電気光学装置を内部に収容した状態における実装ケースを夫々示している。また、図９は当該実装ケースを構成するプレート部の正面図、図１０は図９のＺ２方向から臨んだ後面図であり、図１１は図９のＺ３方向から臨んだ側面図である。さらに、図１２は当該実装ケースを構成するカバー部の正面図、図１３は図１２のＺ４方向から臨んだ後面図であり、図１４は図１２のＺ５方向から臨んだ側面図である。
【００９５】
図４から図８に示すように、実装ケース６０１は、プレート部６１０とカバー部６２０とを備える。実装ケース６０１内に収容される電気光学装置５００は、図２及び図３に示した電気光学装置に加えて、その表面に重ねられた反射防止板等の他の光学要素とを備えてなり、更にその外部回路接続端子にフレキシブルコネクタ５０１が接続されてなる。尚、偏光板や位相差板は、液晶プロジェクタ１１００の光学系に備えるようにしても良いし、電気光学装置５００の表面に重ねてもよい。
【００９６】
また、ＴＦＴアレイ基板１０及び対向基板２０それぞれの液晶層５０に対向しない側には、防塵用基板４００が設けられている（図４、図６及び図７参照）。
この防塵用基板４００は、所定の厚さを有するよう構成されている。これにより、電気光学装置５００の周囲に漂うゴミや埃等が、該電気光学装置の表面に直接に付着することが防止される。したがって、拡大投射された画像上に、これらゴミや埃の像が結ばれるという不具合を有効に解消することができる。これは、防塵用基板４００が所定の厚さを有することで、光源光の焦点ないしその近傍が、該ゴミや埃が存在する位置、すなわち、防塵用基板４００表面からは外れることによるデフォーカス作用を奏する。
【００９７】
このようにＴＦＴアレイ基板１０及び対向基板２０並びに防塵用基板４００等を備えた電気光学装置５００は、図４等に示すように、プレート部６１０及びカバー部６２０からなる実装ケース６０１内に収容されているが、これら電気光学装置５００及び実装ケース６０１間には、図６及び図７に示すように、モールド材６３０が装填されている。このモールド材６３０によって、電気光学装置５００及び実装ケース６０１間の接着が確実に行われるとともに、前者の後者の内部における位置ずれの発生が極力防止される。
【００９８】
なお、第１実施形態においては、カバー部６２０の側から光が入射し、電気光学装置５００を透過して、プレート部６１０の側から出射するということを前提とする。つまり、図１でいえば、ダイクロイックプリズム１１１２に対向するのは、カバー部６２０ではなくて、プレート部６１０ということになる。
【００９９】
さて、以下では実装ケース６０１を構成するプレート部６１０及びカバー部６２０の構成についてのより詳細な説明を行う。
【０１００】
まず第一に、プレート部６１０は、図４から図１１に示すように、平面視して略四辺形状を有する板状の部材であって、電気光学装置５００の一面に対向するように配置される。第１実施形態では、プレート部６１０と電気光学装置５００とは相互に直接に当接し、後者が前者に載置されるが如き状態が採られる。
【０１０１】
より詳細には、プレート部６１０は、窓部６１５、強度補強部６１４、折り曲げ部６１３、カバー部固定孔６１２、並びに取付孔６１１ａ乃至６１１ｄ及び６１１ｅを有する。
【０１０２】
窓部６１５は、略四辺形状を有する部材の一部が開口形状に形成されており、例えば図６中、上方から下方への光の透過を可能とする部分である。電気光学装置５００を透過してきた光の出射は、この窓部６１５によって可能となる。なお、これにより、プレート部６１０上に電気光学装置５００を載置した場合には、該電気光学装置５００における画像表示領域１０ａの周辺に位置する周辺領域が、窓部６１５の辺縁に当接されるが如き状態になる。プレート部６１０は、このようにして電気光学装置５００の保持を実現する。
【０１０３】
強度補強部６１４は、略四辺形状を有する部材の一部を、他の部分の平面からみて盛り上げるような加工を施すことによって形成されており、立体的な形状を有する部分である。これにより、該プレート部６１０の強度は補強されることになる。なお、該強度補強部６１４は、電気光学装置５００の一辺に略接するが如き位置に形成するとよい。図７参照。ただし、図７では、両者は厳密には接していない。
【０１０４】
折り曲げ部６１３は、略四辺形状を有する部材の対向する二辺それぞれの一部が、該四辺形状の内側に向かって折り曲げられている部分である。この折り曲げ部６１３の外側面は、プレート部６１０及びカバー部６２０の組み付け時、該カバー部６２０の内側面に接するようにされている（図６参照）。また、該折り曲げ部６１３の内側面は、モールド材６３０を介して電気光学装置５００の外側面に接するようにされている（同じく図６参照）。これにより、プレート部６１０上における電気光学装置５００のある程度の位置決めが実現されることになる。
【０１０５】
加えて、折り曲げ部６１３の内側面が、モールド材６３０を介して電気光学装置５００の外側面に接するようにされていることは、後者から前者への熱の吸い上げを可能とする。すなわち、プレート部６１０を、電気光学装置５００に対するヒートシンクとして機能させることが可能となる。これによれば、ランプユニット１１０２による電気光学装置５００に対する強力な光照射によって、該電気光学装置５００における熱の蓄積の生じることを有効に防止することができる。
【０１０６】
また、該折り曲げ部６１３の外側面は、前述のようにカバー部６２０の内側面に接していることから、前者から後者への熱の伝達も実現されることになる。このように、電気光学装置５００からの熱の奪取は、原理的には、プレート部６１０及びカバー部６２０の双方において観念される熱容量の分だけ行い得るから、当該電気光学装置５００の冷却は、極めて有効に行われることになる。
【０１０７】
カバー部固定孔６１２は、カバー部６２０において対応する位置に形成された凸部６２１と嵌合するための孔部である。プレート部６１０及びカバー部６２０とは、このカバー部固定孔６１２及び凸部６２１が互いに嵌合することによって相互に固定される。なお、第１実施形態においては、該カバー部固定孔６１２は、各図に示すように、二つの孔部からなる。以下、これらの区別が必要な場合には、カバー部固定孔６１２ａ及び６１２ｂと呼ぶことがある。また、これに対応するように、前記凸部６２１もまた、二つの凸部からなる。以下、これらの区別が必要な場合には、凸部６２１ａ及び６２１ｂと呼ぶことがある。
【０１０８】
取付孔６１１ａ乃至６１１ｄは、当該実装ケース入り電気光学装置を、図１に示した如き液晶プロジェクタ１１００内に取り付けする際に利用される。第１実施形態においては、該取付孔６１１ａ乃至６１１ｄは、略四辺形状を有する部材の四隅に設けられている。また、第１実施形態では、該取付孔６１１ａ乃至６１１ｄの他に、取付孔６１１ｅが設けられている。この取付孔６１１ｅは、前記の取付孔６１１ａ乃至６１１ｄのうち、取付孔６１１ｃ及び６１１ｄとともに、三角形を形作るように配置されている。すなわち、取付孔６１１ｅ、６１１ｃ及び６１１ｄは、三角形の「各頂点」に配置されるように形成されている。これにより、第１実施形態では、四隅の取付孔６１１ａ乃至６１１ｄを用いた四点固定を実施すること、及び、取付孔６１１ｅ、６１１ｃ及び６１１ｄを用いた三点固定を実施することの双方が可能となっている。
【０１０９】
次に第二に、カバー部６２０は、図４から図８及び図１２から図１４に示すように、略立方体形状を有する部材であって、電気光学装置５００の他の面に対向するように配置される。
【０１１０】
このカバー部６２０は、電気光学装置５００の周辺領域における光抜けを防止すると共に周辺領域から迷光が画像表示領域１０ａ内に進入するのを防ぐように、好ましくは遮光性の樹脂、金属製等からなる。また、該カバー部６２０は、プレート部６１０、或いは電気光学装置５００に対するヒートシンクとして機能させることが好ましいから、該カバー部６２０は、熱伝導率の比較的大きい材料、より具体的には、アルミニウム、マグネシウム、銅又はこれらそれぞれの合金等から構成するようにするとよい。
【０１１１】
カバー部６２０にはまた、凸部６２１が形成されている。この凸部６２１は、既に述べたように、プレート部６１０との固定の際に用いられ、前記カバー部固定孔６１２ａ及び６１２ｂそれぞれに対応する位置に、二つの凸部６２１ａ及び６２１ｂを含むものとして形成されている。なお、第１実施形態に係る凸部６２１は、図５に示されるように、すぐ後に述べる冷却風導入部６２２、ないしは後述するテーパ部６２２Ｔの一部を構成するようにして形成されている。図５の視点からは、本来凸部６２１は図示されないが、図５では特にこれを示した。
【０１１２】
そして、本実施形態においては特に、カバー部６２０は、より詳細には、冷却風導入部６２２、カバー本体部６２３及び冷却風排出部６２４を有する。なお、第１実施形態において、これら三つの部分（６２２、６２３及び６２４）は、すべて一体的に構成されている。
【０１１３】
第一に、冷却風導入部６２２は、図４、図５、図７、図１２、或いは図１４等によく示されているように、いずれも本発明にいう「冷却風散逸防止部」もしくは「冷却風案内部」の一例を構成するテーパ部６２２Ｔ及び導風板６２２Ｐからなる。
【０１１４】
第１実施形態において、本発明にいう「スロープ部」の一例を構成するテーパ部６２２Ｔは、概略、その底面が直角三角形となる三角柱の如き外形を有している。そして、テーパ部６２２Ｔは、カバー本体部６２３の一側面に、前記三角柱の一側面が付着されたような外形を呈している。この場合、当該三角柱の一側面は、該三角柱の底面における直角部とこれに隣接する角部との間に挟まれた辺を含んでいる。したがって、テーパ部６２２Ｔは、カバー本体部６２３の側面上において最大高さとなる根元部６２２Ｔ１を有する。ただし、ここでいう「高さ」とは、図７中、上下方向の距離をいう。図７では目安として当該方向に延びる破線を示した。そして、根元部６２２Ｔ１から次第に高さを減じた先端部６２２Ｔ２を有するという形状となっている。このような形態となるテーパ部６２２Ｔは、「尖鋭形状」を有しているということができる。そして、このような尖鋭形状を有しているテーパ部６２２Ｔを含むカバー部６２０は、前記尖鋭形状の一部を構成する前記先端部６２２Ｔ２が冷却風の流れに対向するように配置されることになる。後述の図１５及びそれに関する説明参照。
【０１１５】
一方、導風板６２２Ｐは、前記三角柱の底面において直角部を除く他の二角に挟まれた一辺に沿って立設された壁の如き外形を呈している。前記「高さ」を用いて説明すると、該導風板６２２Ｐの高さは、前記根元部６２２Ｔ１から前記先端部６２２Ｔ２へ向けてテーパ部６２２Ｔの高さが減ずるにもかかわらず、これら根元部６２２Ｔ１及び先端部６２２Ｔ２間のどの部分においても一定である。
【０１１６】
このような形態で設置されている導風板６２２Ｐは、前記テーパ部６２２Ｔにおける一つの側面６２２ＴＦを両側から囲うように形成されているということができる。図４参照。なお、この側面６２２ＴＦは、本発明にいう「スロープ部を構成する面」として典型的に想定されるものの一例である。
【０１１７】
続いて第二に、カバー本体部６２３は、図４から図８及び図１２から図１４に示されているように、概略、直方体形状を有する部材であって、前述の冷却風導入部６２２及び後述の冷却風排出部６２４間に挟まれるようにして存在している。
【０１１８】
ただし、前記の直方体形状の内方は、電気光学装置５００を収容するため、いわばくり抜かれたような状態となっている。すなわち、カバー本体部６２３は、より正確にいえば、蓋なき箱型の如き形状を有する部材となっている。なお、このような表現によれば、ここにいう「蓋」としては、前記プレート部６１０が該当すると考えることができる。
【０１１９】
このカバー本体部６２３は、より詳細には、窓部６２５及びサイドフィン部６２７を有している。なお、サイドフィン部６２７は、本発明にいう「第２表面積増大部」、或いは「フィン」の一例に該当する。
【０１２０】
このうちまず、窓部６２５は、前記箱型の形状の底面（図４、あるいは図６等では、「上面」ということになる。）が開口形状に形成されており、図６中、上方から下方への光の透過を可能とする部分である。図１に示した液晶プロジェクタ１１００内のランプユニット１１０２から発せられた光は、この窓部６２５を通過して電気光学装置５００に入射可能となる。また、この窓部６２５の辺縁は、図７によく示されているように、テーパ形状を有している。これにより、前記のテーパ部６２２Ｔにおける側面６２２ＴＦと、電気光学装置５００の図７中上方の面５００Ｆとは「連続」するようになっている。すなわち、第一に、前記側面６２２ＴＦは、窓部６２５が形成されているカバー本体部６２３の図７中上方の面６２３Ｆと直角でない角度で交わり、第二に、この面６２３Ｆは、前記窓部６２５の辺縁のテーパ形状を構成する面６２５Ｆと直角でない角度で交わり、第三に、この面６２５Ｆは、前記面５００Ｆとやはり直角でない角度で交わるようになっている。これにより、各面６２２ＴＦ、６２３Ｆ、６２５Ｆ及び５００Ｆ間に段差等が形成されることはなく、当該各面は、いわばなだらかに連なるようになる。
【０１２１】
なお、このような窓部６２５を有するカバー本体部６２３においては、プレート部６１０における窓部６１５に関して述べたのと同様に、電気光学装置５００における画像表示領域１０ａの周辺に位置する周辺領域を、窓部６２５の辺縁に当接させるように構成してよい。図７参照。これによれば、カバー本体部６２３、特にその窓部６２５の辺縁によっても、電気光学装置５００の保持を実現することが可能となる。
【０１２２】
次に、サイドフィン部６２７は、カバー本体部６２３の両側面に形成されている。ただし、ここにいう両側面とは、前述の冷却風導入部６２２及び後述の冷却風排出部６２４が存在する側面以外の側面をいう。また、この両側面（以下では、これら両側面を「側壁部６２Ｗ」と呼ぶこととする。）のそれぞれは、例えば図６等からわかるように、電気光学装置５００の一側面及び該一側面に対向する他の側面にそれぞれ対向する。さらに、側壁部６２Ｗの内側面には、カバー部６２０及びプレート部６１０の組み付け時、プレート部６１０における折り曲げ部６１３の外側面が接するようにされている。図６参照。以上より、第１実施形態に係る側壁部６２Ｗは特に、前記折り曲げ部６１３を介して、電気光学装置５００の前記一側面及び他の側面に対向しているということができる。
【０１２３】
このサイドフィン部６２７は、より詳しくは、図４、あるいは図６及び図１３等によく示されているように、冷却風導入部６２２から冷却風排出部６２４へ向けて、前記側面から直線状に突出した部分が複数並列した形状を含んでいる。第１実施形態においては特に、直線状のフィンが二列並列されるようにして形成されている。このようなサイドフィン部６２７の存在により、カバー本体部６２３、ないしはカバー部６２０の表面積は増大することになる。とりわけ、第１実施形態においては、サイドフィン部６２７が、カバー部６２０全体において占める割合が比較的大きい側壁部６２Ｗに形成されていることから、前述の表面積増大効果はより効果的に享受されることになる。
【０１２４】
ちなみに、前述のような形状を有するサイドフィン部６２７は、カバー部６２０を形成するのに併せて又はその後に、例えば切削加工、鍛造加工、射出成形又は鋳造等により形成することが可能である。このような方法によれば、当該サイドフィン部６２７を比較的容易に形成することができる。
【０１２５】
続けて第三に、冷却風排出部６２４は、図４、図５、図８、図１２、或いは図１３等によく示されているように、フレキシブルコネクタ導出部６２４Ｃ及びリアフィン部６２４Ｆからなる。このうちフレキシブルコネクタ導出部６２４Ｃは、前記テーパ部６２２Ｔが形成されているカバー本体部６２３の側面に対向する側面上に形成されている。より具体的には、図８又は図１３に示すように、該側面上に、断面がコの字状となる部材が、該コの字状断面の開口部を図８又は図１３中下方に向けて取り付けられたような形状を呈している。電気光学装置５００に接続されたフレキシブルコネクタ５０１は、このコの字に囲われた空間を抜けて、外部へと引き出されるようになっている。
【０１２６】
他方、本発明にいう「第１表面積増大部」、或いは「フィン」の一例に該当するリアフィン部６２４Ｆは、フレキシブルコネクタ導出部６２４Ｃにおける前記コの字状断面のいわば天井板上に設けられている。このリアフィン部６２４Ｆは、より詳しくは、図４、図５、図８、図１２、或いは図１３等によく示されているように、前記のサイドフィン部６２７たる直線状のフィンが延在する方向と符号を合わせるように、前記天井板から直線状に突出した部分が複数並列された形状を含んでいる。第１実施形態においは特に、リアフィン部６２４Ｆは、前記の各図に示すように、「四つ」の直線状のフィンが並列されて構成されている。
【０１２７】
ちなみに、これら四つのフィンは、冷却風の流れに沿うようにして形成されている。後の図１５及びそれに関する説明参照。また、第１実施形態では、図８及び図１３に示されるように、前記四つの直線状のフィン間の間隔ｇは、それぞれ１ｍｍ以上になるようにされている。このようなリアフィン部６２４Ｆにより、冷却風排出部６２４、ないしはカバー部６２０の表面積は増大することになる。
【０１２８】
ちなみに、前述のような形状を有するリアフィン部６２４Ｆは、カバー部６２０を形成するのに併せて又はその後に、例えば切削加工、鍛造加工、射出成形又は鋳造等により形成することが可能である。このような方法によれば、当該リアフィン部６２４Ｆを比較的容易に形成することができる。
【０１２９】
なお、リアフィン部６２４Ｆを構成する四つの直線状のフィン間の間隔ｇは、「すべて」、上述のように１ｍｍ以上とされている。すなわち、例えば図１５の一番左に位置する直線状のフィンと、その右隣に位置するフィンとは１ｍｍ以上の間隔が空けられており、当該右隣のフィンと、更にその右隣に位置するフィンとは１ｍｍ以上の間隔が空けられており、以下同様というようである。この場合、本発明にいう「第１列のフィン」と「第２列のフィン」とは、例えば、前記一番左に位置するフィンとその右隣のフィンとを意味し、或いは当該右隣のフィンと更にその右隣のフィンとを意味するなどというようになる。このように、本発明にいう「第１列のフィン」と「第２列のフィン」とは、実際に形成されているフィンの列数にかかわらず、普遍的に適用され得る概念である。
【０１３０】
さて、カバー部６２０が以上のような構成をとることにより、図１に示した如き液晶プロジェクタ１１００に備えられたシロッコファン１３００から送られてきた風は、実装ケース６０１、ないしカバー部６２０の周囲において、図１５に示すように流れることになる。ここに図１５は実装ケース入り電気光学装置の斜視図であって、当該実装ケース入り電気光学装置に対する典型的な風の流れ方を示す図である。なお、図１に示した液晶プロジェクタ１１００において、図１５に示すような冷却風の流れを実現するためには、図１を参照して説明した吹き出し口１００ＲＷ、１００ＧＷ及び１００ＢＷが、カバー部６２０を構成する冷却風導入部６２２と対向するように、実装ケース入り電気光学装置、すなわちライトバルブ１００Ｒ、１００Ｇ及び１００Ｂを設置する必要がある。
【０１３１】
まず、冷却風は、冷却風導入部６２２のテーパ部６２２Ｔをあたかも駆け上がるようにして、電気光学装置５００の面５００Ｆが露出するカバー本体部６２３へと吹き抜けることになる（符号Ｗ１参照）。ここで仮に、テーパ部６２２Ｔ、或いはこれを構成する一部たる先端部６２２Ｔ２が存在しない場合、例えば図１５に対する比較例の図である図１６に示すように、所定の厚みをもったブロック状部材６２２Ｘが、前記テーパ部６２２Ｔに代わって存在する場合を仮定すると、冷却風Ｗ１Ｘの流れは、このブロック状部材６２２Ｘで一定程度阻害された上、阻害された冷却風Ｗ１Ｘの流れは、そのブロック状部材６２２Ｘの面に沿って進むことが考えられる。したがって、該冷却風Ｗ１Ｘがカバー本体部６２３に向かうということは困難な状況となる。
【０１３２】
このような対比から明らかなように、第１実施形態では、カバー部６２０がテーパ部６２２Ｔを備えていることにより、カバー本体部６２３へ向けて冷却風を効率的に送り出すことが可能となっているのである。
【０１３３】
また、冷却風導入部６２２には、導風板６２２Ｐが設けられていることにより、冷却風がどの方向からきても、その大部分をテーパ部６２２Ｔ上、ひいてはカバー本体部６２３へと導くことが可能となっている（図１５中符合Ｗ２参照）。
【０１３４】
このように、第１実施形態によれば、導風板６２２Ｐが効率的に冷却風を集めることによっても、カバー本体部６２３へ向けて風を効率よく送り出すことが可能となっている。特に、第１実施形態においては、液晶プロジェクタ１１００に備えられた冷却風送出部の一例たるシロッコファン１３００は、既に説明したように、らせん状に渦巻いた風を送り出す（図１参照）。したがって、実装ケース入り電気光学装置には、図１５に示したような変則的な方向に吹く冷却風Ｗ２が、比較的多くみられる可能性がある。しかるに、第１実施形態では、導風板６２２Ｐが形成されていることにより、そのような変則的に吹く冷却風Ｗ２等をも、効率的にカバー本体部６２３へと送り出すことが可能となっているのである。しかも、第１実施形態では、この導風板６２２Ｐは、テーパ部６２２Ｔにおいて冷却風が駆け上ってくる側面６２２ＴＦを囲うように形成されているから、カバー本体部６２３への冷却風の送り出しは、更に効果的に行われることになる。
【０１３５】
以上のようにして冷却風導入部６２２を通過した冷却風は次に、カバー本体部６２３に至る。このカバー本体部６２３は、電気光学装置５００を収容しており、また、窓部６２５を介して該電気光学装置５００の面５００Ｆが外部に露出していることから、前述のように送り込まれた冷却風は、当該電気光学装置５００それ自体を効率的に冷却することになる。しかも、第１実施形態では特に、窓部６２５の辺縁がテーパ形状とされていたことで、電気光学装置５００の面５００Ｆとテーパ部６２２Ｔの側面６２２ＴＦとが連続していることにより、前記の電気光学装置５００の冷却効果はより効果的となる。すなわち、図１５の符号Ｗ１´に示すように、テーパ部６２２Ｔの側面６２２ＴＦを駆け上った冷却風は、その進行を殆ど妨げられることなく、窓部６２５が形成されているカバー本体部６２３の面６２３Ｆ及び窓部６２５の辺縁を構成する面６２５Ｆ（いずれも図７参照）を吹き抜けていくことにより、電気光学装置５００の面５００Ｆに流れ込むことが可能となっている（図１５中符号Ｗ１´参照）。
【０１３６】
なお、冷却風導入部６２２を通過した冷却風は、上述のように電気光学装置５００それ自体を冷却するのみでなく、カバー本体部６２３、ないしはカバー部６２０をも冷却することとなるのは言うまでもない。また、第１実施形態においては特に、カバー本体部６２３には、サイドフィン部６２７が備えられているから、その表面積増大効果によって、該カバー本体部６２３ないしはカバー部６２０、或いは電気光学装置５００の、より効率的な冷却が実現されることになる。
【０１３７】
さて、カバー本体部６２３を通過した冷却風は次に、冷却風排出部６２４へと至る。この冷却風排出部６２４には、上述のようにリアフィン部６２４Ｆが形成されている。このリアフィン部６２４Ｆでは、上述のように直線状のフィンが備えられ、冷却風排出部６２４の表面積が増大されていることから、当該冷却風排出部６２４ないしカバー部６２０の効率的な冷却を実現することができる。しかも、第１実施形態においては、前記直線状のフィンが冷却風の流れに沿うようにして形成されていること、また、この直線状のフィン間の間隔ｇが１ｍｍ以上とされていることから、次のような作用効果が得られることになる。
【０１３８】
まず、リアフィン部６２４Ｆが冷却風の流れに沿うようにして形成されていることから、該リアフィン部６２４Ｆが、冷却風の流れを過度に阻害することがなく、該冷却風を、後段へ後段へと自然に導くことが可能となっている（図１５中符号Ｗ１´参照）。したがって、第１実施形態によれば、該リアフィン部６２４Ｆに起因するカバー部６２０の冷却効果を効果的に引き出すことができる。
【０１３９】
なお、図１５の冷却風Ｗ２をみるとわかるように、前記直線状のフィンの延在方向とは必ずしも一致しない方向に冷却風が吹く場合も当然にあり得る。また、液晶プロジェクタ１１００に備えられたシロッコファン１３００は、既に説明したように、らせん状に渦巻いた風を送り出す（図１参照）。したがって、厳密にいうと、冷却風は、ライトバルブ１００Ｒ、１００Ｇ又は１００Ｂたる実装ケース入り電気光学装置に対して必ずしも直線的な方向でもって流れるとは限らないということができる。しかしながら、第１実施形態に係るリアフィン部６２４Ｆは、これらの事情を考慮するとしても、本発明にいう「冷却風の流れに沿うようにして」形成されているという場合に含まれる。これは、前記の事情の存在にもかかわらず、図１５に示す冷却風の流れの大勢は、冷却風導入部６２２、カバー本体部６２３及び冷却風排出部６２４の順に流れているとみることができるからである。
【０１４０】
このように、本発明の「フィンは、冷却風に沿うようにして形成されている」というのは、フィンが、冷却風の流れに厳密に或いは完全に一致して形成されている場合に限るものではない。前述のように、実装ケース入り電気光学装置を中心として、フィンが、冷却風の流れの大勢の方向に一致して形成されているという場合も含むのである。
【０１４１】
他方、リアフィン部６２４Ｆを構成する直線状のフィン間の間隔ｇが１ｍｍ以上とされていることから、図１５に示す冷却風Ｗ１´の静圧が低く風量が低い場合であっても、当該冷却風Ｗ１´を前記直線状のフィン間に無理なく行き届かせることが可能となる。特に、第１実施形態では、実装ケース入り電気光学装置が、図１に示したような液晶プロジェクタ１１００のライトバルブ１００Ｒ、１００Ｇ又は１００Ｂとして装着されることになるから、当該実装ケース入り電気光学装置、即ち、ライトバルブ１００Ｒ、１００Ｇ及び１００Ｂとシロッコファン１３００とは、他の構成要素、例えば、入射レンズ１１２２、或いはリレーレンズ１１２３等を配置しなけれならない関係から、相当程度距離を離して設置しなければならなかったり、両者間の位置関係を完全に対向させるように配置することが困難となっている。このような場合、実装ケース入り電気光学装置には、静圧が低く、風量が小さい冷却風しか送られてこないことが考えられることになる。
【０１４２】
ここで第１実施形態においては、前述のように直線状のフィン間の間隔ｇが１ｍｍ以上と比較的大きく設定されていることから、該間隔ｇにも、前述のような静圧が低く風量が小さい冷却風を吹きぬかせることが可能となる。そして、これによれば、冷却風に曝されることになるフィンの表面積が増大することになるから、当該フィンの放熱性は更に向上することになる。したがって、第１実施形態によれば、カバー部６２０全体の放熱能力を更に向上させることができる。
【０１４３】
以上のように、第１実施形態に係る実装ケース６０１では、総じて、電気光学装置５００それ自体の効率的な冷却、或いは冷却風によるカバー部６２０の効率的な冷却が実現されるようになっている。そして、このことは、前述のように電気光学装置５００、プレート部６１０及びカバー部６２０の順に伝達される熱を、最終的に外部へと放散するのに非常に有効である。また、カバー部６２０が効率的に冷却されるということは、電気光学装置５００から折り曲げ部６１３等を介してプレート部６１０に、あるいはカバー部６２０へという熱の流れを、いつでも有効に維持しうることを意味する。すなわち、カバー部６２０は、常態において好適に冷却された状態にあるから、ヒートシンクとしての機能をいつでも有効に維持することにより、該カバー部６２０からみて、プレート部６１０からの熱の奪取、ひいては電気光学装置５００からの熱の奪取をいつでも有効に行い得るのである。なお、これに加えて、第１実施形態におけるカバー部６２０を、上述のようにアルミニウム、マグネシウム、銅又はこれらそれぞれの合金等のような高熱伝導率材料からなるように構成すれば、前記の作用効果は更に効果的に発揮されることになるのは言うまでもない。
【０１４４】
よって、第１実施形態においては、電気光学装置５００が過剰に熱を蓄えこむということがないから、液晶層５０の劣化、あるいはホットスポットの発生等は未然に防止されることになり、これに基づく画像の劣化等を招くおそれは極めて低減されることになる。
【０１４５】
なお、上記第１実施形態においては、冷却風排出部６２４に、リアフィン部６２４Ｆが形成されていたが、本発明においては、場合により、図１７に示すような構造を採用してもよい。ここに図１７は、図１５と同趣旨の図であって、リアフィン部６２４Ｆが形成されていない態様を示すものである。この図１７では、冷却風排出部６２４に、リアフィン部６２４Ｆが形成されておらず、これに代えて、テーパ部６２２Ｔと略同様な形態を呈するテーパ部６２４Ｔが形成されている。このようなテーパ部６２４Ｔの存在によれば、図７を用いて説明したようなテーパ部６２２Ｔの側面６２２ＴＦ、カバー本体部６２３の面６２３Ｆ及び窓部６２５の辺縁の面６２５Ｆ間で実現されていた各面の「連続」が、冷却風排出部６２４においても実現されることになる。したがって、図１７のような構造によれば、カバー本体部６２３から冷却風排出部６２４へ抜ける冷却風の流れを、図１５よりもスムースにすることができる（図中符号Ｗ１´´参照）。このように、本態様では、カバー部６２０全体において、冷却風の滞りのない流れを実現することにより、カバー部６２０の効率的な冷却を実現することができる。
【０１４６】
ただし、この図１７のような形態と図１５に示したような形態とにおいて、カバー部６２０の冷却効率の点でどちらが優れているかを一概に決することはできない。すなわち、図１７では、上述のように、テーパ部６２４Ｔによってカバー部６２０周囲を流れる冷却風の流れをスムースにすることにより、カバー部６２０の冷却を図っているのに対して、図１５では、リアフィン部６２４Ｆによってカバー部６２０全体の表面積を増大することにより、カバー部６２０の冷却を図っているが、これらの構造及び作用は、互いに相補的な関係にあるから、一方が他方に対して絶対的に優れているとは言えないのである。即ち、リアフィン部６２４Ｆを設ければ冷却風の流れのスムースさが犠牲になり、テーパ部６２４Ｔを設ければ表面積増大効果は得られない。本発明においては、前記のような関係を中心に、当該実装ケース入り電気光学装置の液晶プロジェクタ１１００内における設置位置、或いは冷却風の性質等に配慮した上で、適宜、より好ましい形態を採用するようにすればよい。
【０１４７】
ちなみに、上述したような、リアフィン部６２４Ｆとテーパ部６２４Ｔとの関係は、冷却風導入部６２２に関しても同様にあてはめて考えることができる。すなわち、図１５と同趣旨の図となる図１８に示すように、冷却風導入部６２２においても、フロントフィン部６２２Ｆを形成することにより、カバー部６２０全体の表面積を増大させることができるが、これによると、前述したような冷却風の導入効果は相応に減殺されることになる。したがって、この場合においても、どちらの構造及び作用が優れているかを一概に決することはできず、前述のような配慮をした上で、適宜、より好ましい形態を採用するようにしてよい。
【０１４８】
また、上記第１実施形態においては、導風板６２２Ｐは、テーパ部６２２Ｔの側面６２２ＴＦを両側から囲うように形成されていたが、本発明は、このような形態に限定されない。例えば、図１５と同趣旨の図となる図１９に示すように、前記側面６２２ＴＦの両側に立設されるかの如き導風板６２２Ｐ間に、別の導風板６２２ＰＣを渡すような形で設ける形態を採用してもよい。ただし、窓部６２５が形成されているカバー本体部６２３の面６２３Ｆと前記別の導風板６２２ＰＣの下面との間には、所定の隙間が形成されるようになっている。この場合、側面６２２ＴＦは、二枚の導風板６２２Ｐ及び導風板６２２ＰＣによって、ほぼ完全に囲われるような状態となるから、カバー本体部６２３への冷却風の送り出しは、より効率的に行われ得ることになる（図１９中符号W１´´´参照。）。
【０１４９】
（実装ケース入り電気光学装置―第２実施形態―）
次に、図２０及び図２１を参照して、第２実施形態に係る実装ケース入り電気光学装置について説明する。ここに図２０及び図２１は、それぞれ、図１２及び図１５と同趣旨の図であって、冷却風導入部６２２Ｔに導風部が設けられている点につき異なるものを示すものである。なお、第２実施形態では、上述した「投射型表示装置」、「電気光学装置」及び「実装ケース入り電気光学装置」の主要な部分に係る構成及び作用は、上記の第１実施形態と全く同様である。したがって、以下では、これらの説明については省略することとし、主に第２実施形態において特徴的な部分についてのみ説明を加えることとする。
【０１５０】
第２実施形態では、カバー部６２０の冷却風導入部６２２Ｔは、冷却風を前記サイドフィン部６２７が形成された側壁部６２Ｗへ送るための導風部６２８を含んでいる。なお、この導風部６２８は、前記の導風板６２２Ｐ、或いはテーパ部６２２Ｔに加えて、本発明にいう「冷却風散逸防止部」の一例に該当する。
【０１５１】
導風部６２８は、より詳しくは、図２０及び図２１に示すように、導風板６２２Ｐにおけるテーパ部６２２Ｔの側面６２２ＴＦに対向しない面（以下、「導風板６２２Ｐの外側面」ということがある。）と、側壁部６２Ｗの外側面とを、滑らかにつなぐような形態を呈している。
【０１５２】
このような導風部６２０を備えることにより、次のような作用効果が奏される。すなわち、上述のような導風部６２８が設けられていない場合においては、導風板６２２Ｐの外側に向けて吹いてきた冷却風は、導風板６２２Ｐの外側面でその進行が阻害された上、これがカバー本体部６２３へと向かうためには困難な状況が生じる（図１６中の符号Ｗ３参照。）。しかるに、第２実施形態においては、図２１に示すように、導風板６２２Ｐの外側面に向けて吹いてきた冷却風Ｗ３は、導風部６２８を伝うようにして、サイドフィン部６２７が形成された側壁部６２Ｗに有効に送り込まれることになる。これにより、サイドフィン部６２７の有効利用が図られることになり、該サイドフィン部６２７の作用効果をより効果的に発揮させることができることになる。したがって、第２実施形態においては、前記第１実施形態にも増して、カバー部６２０の放熱能力をより高めることができ、或いは電気光学装置５００の冷却効果を効果的に引き出すことができる。
【０１５３】
なお、上記各実施形態においては、本発明にいう「表面積増大部」の具体例としては、フィンについてのみ言及されていたが、本発明は、このような形態に限定されない。例えば、図２２及び図２３のような形態を採用することができる。ここに図２２は、図１２と同趣旨の図であって、冷却風排出部６２４において、ディンプルが形成されている態様を示すものであり、図２３は、図２２のＷ−Ｗ´線断面図であって、特にディンプルの断面形状のみを示すものである。
【０１５４】
これら図２２及び図２３においては、冷却風排出部６２４において、リアフィン部６２４Ｆに代えて、ディンプル６２４Ｄが形成されている。このディンプル６２４Ｄは、フレキシブルコネクタ導出部６２４Ｃの天井面を埋めるようにして複数形成されている。
【０１５５】
このようなディンプル６２４Ｄを備えることにより、カバー部６２０表面積は増大されることとなるのは言うまでもない。したがって、本変形形態によれば、前記第１及び第２実施形態と同等、或いはそれ以上に、カバー部６２０の効果的な冷却を実現することができ、もって電気光学装置５００の効果的な冷却を実現することができる。
【０１５６】
なお、図２２及び図２３に示したディンプル６２４Ｄと、前述のリアフィン部６２４を構成する直線状のフィンとの相違点は、「カバーの表面」を基準面Ｆ（図２３参照）として突出しているか、或いは凹んでいるかということにある。図２３においては、仮に、当該フィンが形成されたとした場合における断面図の様子を破線でもって併せて示した。
【０１５７】
或いは、場合により、本発明にいう「ディンプル」は、「当該実装ケース入り電気光学装置に対して送られてくる冷却風の流れを全く阻害しない」という属性を有していてもよい。本変形形態に係るディンプル６２４Ｄは、このような属性を有しているということができる。すなわち、図２３に示すように、該図において紙面向こう側からこちら側へ流れる冷却風Ｗ４は、ディンプル６２４Ｄの存在によって、その流れが阻害されるということが全くない。他方、この観点からすると、図２３に併せて示した直線状のフィンは、冷却風の流れを全く阻害しないということはない、という属性を有するものと解することができる（特に、図２３の冷却風Ｗ５参照。ただし、この冷却風Ｗ５は、紙面向こう側で遮られている。）。したがって、「ディンプル」及び「フィン」間の相違点は、このような点にあるという考え方を採ることも可能である。
【０１５８】
また、本発明において、「ディンプル」の具体的形状は、図２２及び図２３に示すような、平面視して円形状のものに限られない。例えば、長手方向に溝が掘られたような形態のものも含む。
【０１５９】
本発明は、上述した実施形態に限られるものではなく、請求の範囲及び明細書全体から読み取れる発明の要旨、あるいは思想に反しない範囲で適宜変更可能であり、そのような変更を伴う実装ケース入り光学装置及び投射型表示装置並びに実装ケースもまた、本発明の技術的範囲に含まれるものである。電気光学装置としては液晶パネルの他に、電気泳動装置やエレクトロルミネッセンス装置、プラズマディスプレイ装置、Field Emission Display 及び Surface-Conduction Electron-Emitter Display 等の電子放出素子を用いた装置等にも適用できる。
【図面の簡単な説明】
【０１６０】
【図１】本発明に係る投射型液晶装置の実施形態の平面図である。
【図２】本発明に係る電気光学装置の実施形態の平面図である。
【図３】図２のＨ−Ｈ′断面図である。
【図４】本発明の第１実施形態に係る実装ケースを、電気光学装置とともに示す分解斜視図である。
【図５】本発明の第１実施形態に係る実装ケース入り電気光学装置の正面図である。
【図６】図５のＸ１−Ｘ１´断面図である。
【図７】図５のＹ１−Ｙ１´断面図である。
【図８】図５のＺ１方向から臨んだ後面図である。
【図９】本発明の第１実施形態に係る実装ケースを構成するプレート部の正面図である。
【図１０】図９のＺ２方向から臨んだ後面図である。
【図１１】図９のＺ３方向から臨んだ側面図である。
【図１２】本発明の第１実施形態に係る実装ケースを構成するカバー部の正面図である。
【図１３】図１２のＺ４方向から臨んだ後面図である。
【図１４】図１２のＺ５方向から臨んだ側面図である。
【図１５】本発明の第１実施形態に係る実装ケース入り電気光学装置の斜視図であって、当該実装ケース入り電気光学装置に対する風の流れを示す図である。
【図１６】図１５に対する比較例の図である。
【図１７】図１５と同趣旨の図であって、リアフィン部が形成されていない態様を示すものである。
【図１８】図１５と同趣旨の図であって、フロントフィン部が形成されている態様を示すものである。
【図１９】図１５と同趣旨の図であって、導風板の態様が異なるものを示すものである。
【図２０】図１２と同趣旨の図であって、冷却風導入部に導風部が設けられている点につき異なるものを示すものである。
【図２１】図１５と同趣旨の図であって、冷却風導入部に導風部が設けられている点につき異なるものを示すものである。
【図２２】図１２と同趣旨の図であって、冷却風排出部においてリアフィン部に代えてディンプルが設けられている点につき異なるものを示すものである。
【図２３】図２２のＷ−Ｗ´線断面図であって、特にリアフィン部を構成する直線状のフィン及びディンプルの断面形状のみを示すものである。
【符号の説明】
【０１６１】
１０…ＴＦＴアレイ基板
２０…対向基板
４００…防塵用基板
５０…液晶層
５００…電気光学装置
５００Ｆ…（電気光学装置の画像表示領域における）面
６０１…実装ケース
６１０…プレート部
６２０…カバー部
６２２…冷却風導入部
６２２Ｔ…テーパ部
６２２Ｔ２…先端部
６２２ＴＦ…（テーパ部の）側面
６２２Ｐ、６２２ＰＣ…導風板
６２３…カバー本体部
６２Ｗ…側壁部
６２７…サイドフィン部
６２４…冷却風排出部
６２４Ｆ…リアフィン部
６２４Ｔ…テーパ部
６２４Ｄ…ディンプル
６２５…窓部
６２８…導風部
１００Ｒ、１００Ｇ、１００Ｂ…ライトバルブ
１１００…液晶プロジェクタ
１１０２…ランプユニット
１３００…シロッコファン
【図１】
0003722141.tif 000002
【図２】
0003722141.tif 000003
【図３】
0003722141.tif 000004
【図４】
0003722141.tif 000005
【図５】
0003722141.tif 000006
【図６】
0003722141.tif 000007
【図７】
0003722141.tif 000008
【図８】
0003722141.tif 000009
【図９】
0003722141.tif 000010
【図１０】
0003722141.tif 000011
【図１１】
0003722141.tif 000012
【図１２】
0003722141.tif 000013
【図１３】
0003722141.tif 000014
【図１４】
0003722141.tif 000015
【図１５】
0003722141.tif 000016
【図１６】
0003722141.tif 000017
【図１７】
0003722141.tif 000018
【図１８】
0003722141.tif 000019
【図１９】
0003722141.tif 000020
【図２０】
0003722141.tif 000021
【図２１】
0003722141.tif 000022
【図２２】
0003722141.tif 000023
【図２３】
0003722141.tif 000024